(57)【要約】【課題】従来のコンテンツ記録装置では、コンテンツ提供者などが決めたコピーガードに従って画一的にコンテンツを複写していたので、著作権保護は可能であるが、コンテンツ利用者がコンテンツを効果的に利用することができなかった。【解決手段】コンテンツの記録を制御するための情報である記録制御情報を格納しており、かつ着脱可能な記録媒体から記録制御情報を取得するコンテンツ記録装置であって、コンテンツを格納しているコンテンツ格納部と、コンテンツを記録するコンテンツ記録部と、着脱可能な記録媒体から記録制御情報を読み込む記録制御情報取得部と、記録制御情報に基づいてコンテンツ記録部にコンテンツの記録に関する指示を行うコンテンツ記録制御部を具備するコンテンツ記録装置により、コピーガードされたコンテンツの著作権を適切に保護し、かつコンテンツの流通、利用を促進できる。【選択図】　図１
2004070557.tif 000002
【特許請求の範囲】
【請求項１】
コンテンツの記録を制御するための情報である記録制御情報を格納しており、かつ着脱可能な記録媒体から前記記録制御情報を取得するコンテンツ記録装置であって、
コンテンツを格納しているコンテンツ格納部と、
コンテンツを記録するコンテンツ記録部と、
前記着脱可能な記録媒体から記録制御情報を読み込む記録制御情報取得部と、
前記記録制御情報取得部が取得した記録制御情報に基づいて前記コンテンツ記録部にコンテンツの記録に関する指示を行うコンテンツ記録制御部
を具備するコンテンツ記録装置。
【請求項２】
前記コンテンツ格納部は、コンテンツと当該コンテンツの記録制御に関する情報であるコンテンツ記録制御情報を対に格納しており、
前記コンテンツ格納部からコンテンツ記録制御情報を取得するコンテンツ記録制御情報取得部をさらに具備し、
前記コンテンツ記録制御部は、前記記録制御情報取得部が取得した記録制御情報と前記コンテンツ記録制御情報取得部が取得したコンテンツ記録制御情報に基づいて前記コンテンツ記録部にコンテンツの記録に関する指示を行う請求項１記載のコンテンツ記録装置。
【請求項３】
ストリームのコンテンツを記録制御するための情報である記録制御情報を格納しており、かつ着脱可能な記録媒体から前記記録制御情報を取得するコンテンツ記録装置であって、
ストリームのコンテンツを受信するコンテンツ受信部と、
前記着脱可能な記録媒体から記録制御情報を読み込む記録制御情報取得部と、
前記コンテンツ受信部が受信したコンテンツを記録するコンテンツ記録部と、
前記記録制御情報取得部が取得した記録制御情報に基づいて前記コンテンツ記録部にコンテンツの記録に関する指示を行うコンテンツ記録制御部
を具備するコンテンツ記録装置。
【請求項４】
前記コンテンツ受信部は、コンテンツと当該コンテンツの記録制御に関する情報であるコンテンツ記録制御情報を対に受信し、
前記コンテンツ記録制御情報を取得するコンテンツ記録制御情報取得部をさらに具備し、
前記コンテンツ記録制御部は、前記記録制御情報取得部が取得した記録制御情報と前記コンテンツ記録制御情報取得部が取得したコンテンツ記録制御情報に基づいて前記コンテンツ記録部にコンテンツの記録に関する指示を行う請求項３記載のコンテンツ記録装置。
【請求項５】
前記コンテンツ記録制御部は、前記記録制御情報または、前記記録制御情報と前記コンテンツ記録制御情報に基づいて、前記コンテンツ記録部にコンテンツを記録することを指示する／または記録しないことを指示する請求項１から請求項４いずれか記載のコンテンツ記録装置。
【請求項６】
前記コンテンツ記録制御部は、前記記録制御情報または、前記記録制御情報と前記コンテンツ記録制御情報に基づいて、前記コンテンツ記録部にスクランブルをかけてコンテンツを記録することを指示する／またはスクランブルをかけずにコンテンツを記録することを指示する請求項１から請求項４いずれか記載のコンテンツ記録装置。
【請求項７】
前記コンテンツ記録制御部は、前記記録制御情報または、前記記録制御情報と前記コンテンツ記録制御情報に基づいて、前記コンテンツ記録部にコンテンツの一部を記録することを指示する請求項１から請求項４いずれか記載のコンテンツ記録装置。
【請求項８】
前記コンテンツが画像情報と音声情報を含み、前記一部が前記音声情報である請求項６記載のコンテンツ記録装置。
【請求項９】
前記コンテンツ記録制御部は、前記記録制御情報または、前記記録制御情報と前記コンテンツ記録制御情報に基づいて、前記コンテンツ記録部にコンテンツの属性値であるコンテンツ属性値を変更して当該コンテンツを記録することを指示する請求項１から請求項４いずれか記載のコンテンツ記録装置。
【請求項１０】
着脱可能な記録媒体から記録制御情報を読み込む記録制御情報取得部と、前記記録制御情報取得部が取得した記録制御情報に基づいて、コンテンツのコンテンツ記録制御情報を書き換えるコンテンツ制御情報変更部を具備する情報処理装置。
【請求項１１】
コンテンツ記録制御情報を有するコンテンツを受信するコンテンツ受信部をさらに具備し、
前記コンテンツ制御情報変更部は、前記コンテンツ受信部が受信したコンテンツのコンテンツ記録制御情報を、前記記録制御情報取得部が取得した記録制御情報に基づいて書き換える請求項１０記載の情報処理装置。
【請求項１２】
前記記録制御情報取得部は、記録媒体からコンテンツ識別子を含む記録制御情報を読み込み、
前記コンテンツ制御情報変更部は、当該コンテンツ識別子で識別されるコンテンツのコンテンツ記録制御情報を書き換える請求項１０または請求項１１いずれか記載の情報処理装置。
【請求項１３】
前記コンテンツ制御情報変更部は、前記記録制御情報取得部が取得した記録制御情報に基づいて、コピー禁止を示す情報のコンテンツ記録制御情報を一度だけコピーを許すことを示す情報に書き換える請求項１２記載の情報処理装置。
【請求項１４】
請求項１０から請求項１３いずれか記載の情報処理装置と、前記コンテンツ記録制御情報に基づいて記録するコンテンツを記録するコンテンツ記録部を具備するコンテンツ記録装置。
【請求項１５】
請求項１から請求項１４いずれか記載のコンテンツ記録装置または情報処理装置に読み込まれる記録制御情報を格納しており、前記コンテンツ記録装置から着脱可能な記録媒体。
【請求項１６】
請求項１５記載の記録媒体への記録制御情報の書き込みに対する課金料を算出する課金処理装置であって、
記録制御情報を記録媒体に記録することに関する情報である記録履歴情報を一以上格納している記録履歴情報格納部と、
前記一以上の記録履歴情報を取得する記録履歴情報取得部と、
前記記録履歴情報取得部が取得した一以上の記録履歴情報に基づいて課金料を算出する課金料算出部を具備する課金処理装置。
【請求項１７】
コンピュータに、
コンテンツ記録指示を受け付けるコンテンツ記録指示受付ステップと、
前記コンテンツ記録指示受付ステップでコンテンツ記録指示を受け付けた場合に、記録媒体に格納されている記録制御情報を取得する記録制御情報取得ステップと、
前記記録制御情報取得ステップで取得した記録制御情報に基づいてコンテンツを記録する指示をするコンテンツ記録指示ステップと、
前記コンテンツ記録指示ステップにおけるコンテンツの記録指示に基づいて、格納されているコンテンツを記録するコンテンツ記録ステップを実行させるためのプログラム。
【請求項１８】
格納されているコンテンツ記録制御情報を取得するコンテンツ記録制御情報取得ステップをさらに具備し、
前記コンテンツ記録制御ステップにおいて、前記記録制御情報取得ステップで取得した記録制御情報と前記コンテンツ記録制御情報取得ステップで取得したコンテンツ記録制御情報に基づいてコンテンツの記録に関する指示を行う請求項１７記載のプログラム。
【請求項１９】
コンピュータに、
ストリームのコンテンツを受信するコンテンツ受信ステップと、
着脱可能な記録媒体から記録制御情報を読み込む記録制御情報取得ステップと、前記記録制御情報取得ステップで取得した記録制御情報に基づいて、前記コンテンツ受信ステップで受信したコンテンツを記録するコンテンツ記録ステップを実行させるためのプログラム。
【請求項２０】
コンピュータに、
着脱可能な記録媒体から記録制御情報を読み込む記録制御情報取得ステップと、前記記録制御情報取得ステップで取得した記録制御情報に基づいて、記録対象のコンテンツのコンテンツ記録制御情報を書き換えるコンテンツ制御情報変更ステップを実行させるためのプログラム。
【発明の詳細な説明】
【０００１】
【発明の属する技術分野】
本発明は、コンテンツを記録制御するコンテンツ記録装置に関し、特に、コンテンツの著作権保護に好適なものである。
【０００２】
【従来の技術】
従来のコンテンツ記録装置は、以下の処理を行う。例えば、コンテンツの属性値として著作権保護のためのコピーガードの情報（コピーガードの情報の上位概念の語句として、記録制御情報という語句を用いることとする。）がコンテンツと対に存在する。このコンテンツおよび記録制御情報は、例えば、光ディスクなどの記録媒体に格納されている。具体的には、例えば、記録制御情報は、自由にコピーが可能なコピーフリー、一度だけコピーが可能なライトワンス、コピーが禁止されているコピー禁止の３つのモードを示す情報が存在し得る。
【０００３】
コンテンツ記録装置は、記録するコンテンツに対応する記録制御情報を取得して、当該記録制御情報に従ってコンテンツを記録媒体に記録していた。つまり、記録制御情報がコピーフリーを示す情報である場合には、自由にコンテンツをコピーし、記録制御情報がコピー禁止を示す情報である場合には、コンテンツをコピーしなかった。
【０００４】
【発明が解決しようとする課題】
しかしながら、従来のコンテンツ記録装置では、コンテンツ提供者などが決めたコピーガードに従って画一的にコンテンツを複写していたので、著作権保護は可能であるが、コンテンツ利用者がコンテンツを効果的に利用することができなかった。
【０００５】
一方、コンテンツ提供者などの著作権の保有者は、コンテンツの流通、利用を阻害したいわけではなく、適切な著作権料を担保できることを前提として、コンテンツを流通し、多数のユーザにコンテンツを利用して欲しいものである。また、ユーザは、著作権料を適切に支払って、価値のあるコンテンツを利用したい、と思うものである。
【０００６】
しかし、コピーガードされたコンテンツの著作権を適切に保護し、かつコンテンツの流通、利用を促進する技術、仕組みは存在しなかった。
【０００７】
【課題を解決するための手段】
以上の課題を解決するために、本発明は、コンテンツの記録を制御するための情報である記録制御情報を格納しており、かつ着脱可能な記録媒体から前記記録制御情報を取得するコンテンツ記録装置であって、コンテンツを格納しているコンテンツ格納部と、コンテンツを記録するコンテンツ記録部と、着脱可能な記録媒体から記録制御情報を読み込む記録制御情報取得部と、記録制御情報に基づいてコンテンツ記録部にコンテンツの記録に関する指示を行うコンテンツ記録制御部を具備するコンテンツ記録装置により、コピーガードされたコンテンツの著作権を適切に保護し、かつコンテンツの流通、利用を促進できる。
【０００８】
また、他の本発明は、コンテンツの記録を制御するための情報である記録制御情報を格納しており、かつ着脱可能な記録媒体から記録制御情報を取得するコンテンツ記録装置であって、コンテンツと当該コンテンツの記録制御に関する情報であるコンテンツ記録制御情報を対に格納しているコンテンツ格納部と、コンテンツを記録するコンテンツ記録部と、着脱可能な記録媒体から記録制御情報を読み込む記録制御情報取得部と、コンテンツ格納部からコンテンツ記録制御情報を取得するコンテンツ記録制御情報取得部と、記録制御情報とコンテンツ記録制御情報取得部に基づいてコンテンツ記録部にコンテンツの記録に関する指示を行うコンテンツ記録制御部を具備するコンテンツ記録装置により、コピーガードされたコンテンツの著作権を適切に保護し、かつコンテンツの流通、利用を促進できる。
【０００９】
さらに、他の本発明は、着脱可能な記録媒体から記録制御情報を読み込む記録制御情報取得部と、記録制御情報取得部が取得した記録制御情報に基づいて、コンテンツのコンテンツ記録制御情報を書き換えるコンテンツ制御情報変更部を具備する情報処理装置により、コピーガードされたコンテンツの著作権を適切に保護し、かつコンテンツの流通、利用を促進できる。
【００１０】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１１】
（実施の形態１）
図１は、本実施の形態に係る送受信システムの構成を示すブロック図である。送受信システムは、ストリームのコンテンツを送信するコンテンツ送信装置１０１、記録媒体１０２、ストリームコンテンツを受信して記録するコンテンツ記録装置１０３を有する。なお、コンテンツとは、ストリームのコンテンツであり、一般的には、映像と音声を有するデータを言うが、そのデータタイプは問わない。また、コンテンツは、放送される番組なども含む。
【００１２】
コンテンツ送信装置１０１は、コンテンツ保持部１０１０１、コンテンツ送信部１０１０２を有する。
【００１３】
コンテンツ保持部１０１０１は、コンテンツを格納している。通常、コンテンツのデータサイズは大きいので、コンテンツ保持部１０１０１は、ハードディスクなどの不揮発性の記録媒体が好適であるが、揮発性の記録媒体でも良い。
【００１４】
コンテンツ送信部１０１０２は、コンテンツ保持部１０１０１に格納しているコンテンツを取得し、送信する。コンテンツ送信部１０１０２は、例えば、コンテンツを取得するソフトウェアと送信手段により実現され得る。但し、コンテンツを取得する機能はハードウェア（専用回路）により実現されても良い。また、送信手段は、放送手段でも良いし、通信手段でも良い。放送手段は、デジタル放送をする手段が好適であるが、アナログ放送をする手段でも良い。また、放送手段は、ＣＡＴＶのケーブルを利用してコンテンツを放送する手段も含まれる。通信手段は、無線通信を行う手段が好適であるが、有線の通信手段でも良い。
【００１５】
記録媒体１０２は、コンテンツの記録を制御するための情報である記録制御情報を格納しており、かつコンテンツ記録装置１０３から着脱可能な記録媒体である。記録媒体１０２は、ＩＣカードが好適であるが、コンテンツ記録装置１０３から着脱可能な記録媒体であれば何でも良い。記録媒体１０２は、可搬性のある半導体メモリや、可搬性のある光ディスクや、可搬性のある磁気ディスクなどでも良い。また、記録制御情報は、コンテンツの記録を制御するための情報であれば、データ構造や内容は問わない。記録制御情報は、例えば、コピーガードを示す情報であり、コピーフリーを示す情報、またはコピーを１回だけ許すことを示す情報、またはコピー禁止を示す情報などがあり得る。
【００１６】
コンテンツ記録装置１０３は、コンテンツ受信部１０３０１、コンテンツ取得部１０３０２、記録制御情報取得部１０３０３、コンテンツ記録制御部１０３０４、コンテンツ記録部１０３０５を有する。
【００１７】
コンテンツ受信部１０３０１は、コンテンツ送信部１０１０２が送信したストリームコンテンツを受信する。コンテンツ受信部１０３０１は、通常、放送を受信する手段（例えば、チューナーとそのドライバーソフトなど）により実現され得る。但し、コンテンツ受信部１０３０１は、通信手段でも良い。
【００１８】
コンテンツ取得部１０３０２は、コンテンツ受信部１０３０１が受信したコンテンツを取得する。ここでのコンテンツはストリームの一部であり、通常、一定サイズのコンテンツである。コンテンツ取得部１０３０２は、通常、ソフトウェアにより実現され得るが、ハードウェア（専用回路）により実現されても良い。
【００１９】
記録制御情報取得部１０３０３は、記録媒体１０２から記録制御情報を取得する。記録制御情報取得部１０３０３は、通常、ソフトウェアから構成されるが、ハードウェア（専用回路）により実現しても良い。記録制御情報取得部１０３０３は、例えば、記録媒体１０２から情報を読み込むリーダー（ハードウェア）とそのドライバーソフトにより実現され得る。
【００２０】
コンテンツ記録制御部１０３０４は、記録制御情報取得部１０３０３が取得した記録制御情報に基づいてコンテンツ記録部１０３０５にコンテンツの記録に関する指示を行う。コンテンツ記録制御部１０３０４は、通常、ソフトウェアにより実現され得るが、ハードウェア（専用回路）により実現しても良い。コンテンツの記録に関する指示（以下、適宜「コンテンツ記録指示」と言う。）のデータ構造や内容は問わない。コンテンツ記録指示は、コンテンツの記録に関する指示であれば何でも良い。
【００２１】
コンテンツ記録部１０３０５は、コンテンツ記録制御部１０３０４の指示に基づいてコンテンツを記録する。なお、コンテンツ記録制御部１０３０４の指示がコンテンツの記録を禁止する指示である場合には、コンテンツ記録部１０３０５は、コンテンツを記録しない。コンテンツ記録部１０３０５がコンテンツを記録する先は、通常、コンテンツ記録装置１０３の外付けの記録媒体であるがコンテンツ記録装置１０３が内蔵する記録媒体でも良い。コンテンツ記録部１０３０５は、通常、ソフトウェアにより実現され得るが、ハードウェア（専用回路）により実現しても良い。
【００２２】
以下、本実施の形態に係る送受信システムの処理について説明する。まず、コンテンツ送信装置１０１の動作について説明する。コンテンツ送信装置１０１のコンテンツ送信部１０１０２は、コンテンツ保持部１０１０１からコンテンツを取得し、送信する。
【００２３】
次に、コンテンツ記録装置１０３の動作について図２のフローチャートを用いて説明する。
【００２４】
（ステップＳ２０１）コンテンツ受信部１０３０１は、コンテンツの受信を開始したか否かを判断する。コンテンツの受信を開始したとの判断である場合はステップＳ２０２に行き、コンテンツの受信を開始していないとの判断である場合はステップＳ２０１に戻る。なお、コンテンツ受信の開始は、例えば、受信するストリームのヘッダー情報をチェックして判断され得る。
【００２５】
（ステップＳ２０２）記録制御情報取得部１０３０３は、記録媒体１０２から記録制御情報を取得する。
【００２６】
（ステップＳ２０３）コンテンツ記録制御部１０３０４は、ステップＳ２０２で取得した記録制御情報に基づいてコンテンツの記録方式を決定する。記録方式とは、記録する／記録しないを識別する情報である場合もあれば、記録する場合にスクランブルをかけてコンテンツを記録する／スクランブルをかけてないでコンテンツを記録するということを識別する情報である場合もある。また、記録方式とは、コンテンツを全て記録する／コンテンツの一部を記録する／全くコンテンツを記録しないということを識別する情報である場合もある。その他、記録方式とは、コンテンツ記録の方法に関する種々の情報である場合がある。
【００２７】
（ステップＳ２０４）コンテンツ取得部１０３０２は、コンテンツ受信部１０３０１が新たなストリーム（コンテンツの一部）を受信しているか否かを判断する。新たな次のストリームを受信していればステップＳ２０５に行き、次のストリームを受信していなければステップＳ２０４に戻る。なお、コンテンツ受信開始の時のストリームは、通常、ステップＳ２０１で受信開始の判断を行う場合に受信したストリームである。
【００２８】
（ステップＳ２０５）コンテンツ取得部１０３０２は、次のストリームを取得する。
【００２９】
（ステップＳ２０６）コンテンツ記録部１０３０５は、ステップＳ２０３で決定した記録方式に基づいて、ステップＳ２０５で取得したストリームを記録する。
【００３０】
なお、図２のフローチャートにおいて、電源ＯＦＦやコンテンツの受信中止の割り込みのイベント等により処理を終了する。
【００３１】
以下、本実施の形態における送受信システムの具体的な動作について説明する。今、記録制御情報「１」が記録されたＩＣカード（記録媒体の一種）が存在する。ここでは、記録制御情報は１ｂｉｔであり、記録制御情報として「１」が記録されている記録媒体が存在すれば１つのコンテンツを、ＩＣカードとは別の記録媒体にコピー可能であり、記録制御情報が「０」である場合は、コンテンツを別の記録媒体にコピーできない、とする。ユーザは一定の著作権料を支払い、記録制御情報「１」が記録されたＩＣカードを得る。また、コンテンツ記録装置は、ＩＣカードリーダーを内蔵している、またはＩＣカードリーダーに接続されている。また、コンテンツ記録装置は放送を受信する機能を有する。つまり、コンテンツ記録装置は、ストリームコンテンツを受信する。
【００３２】
以上のような状況において、ユーザが購入した記録媒体をＩＣカードリーダーに差し込む。そして、ユーザがコンテンツ記録指示をコンテンツ記録装置に対して入力すれば、コンテンツ記録装置はコンテンツを別の記録媒体に複写する。一方、ユーザが記録制御情報「０」が記録されたＩＣカード、つまり、著作権料を払っていないＩＣカードをＩＣカードリーダーに差し込んで、コンテンツ記録指示をコンテンツ記録装置に対して入力しても、コンテンツ記録装置はコンテンツを別の記録媒体に複写しない。
【００３３】
上記の例における第一の具体例では、コンテンツ記録装置のコンテンツ記録制御部は、例えば、記録制御情報に基づいてコンテンツ記録部にコンテンツを記録することを指示する／または記録しないことを指示する。そして、記録制御情報が「１」である場合のみ、コンテンツ記録装置は受信したストリームコンテンツを記録媒体に記録する。
【００３４】
次に、第二の具体例について説明する。上記のＩＣカードには、記録を許可する記録許諾情報「１」と記録許諾対象情報「番組名」が記録制御情報として記録されている。記録許諾対象情報は、番組名の文字情報や番組特有のコード情報、若しくは放送時間とチャンネルなど、が考えられる。また、場合によっては出演者や番組内容のジャンルおよび上記の情報などとの組み合わせでもかまわない。記録許諾情報が１ｂｉｔであり、記録許諾情報として「１」が記録されていれば１つのコンテンツを、ＩＣカードとは別の記録媒体にコピー可能であり、記録許諾情報が「０」である場合は、コンテンツを別の記録媒体にコピーできない、とするのは第一の具体例と同様である。ユーザは特定の番組に対して記録許諾情報「１」が記録されたＩＣカードの購入という形で一定の著作権料を支払う。また、コンテンツ記録装置は、ＩＣカードリーダーを内蔵している、またはＩＣカードリーダーに接続されている。また、コンテンツ記録装置は放送を受信する機能を有する。つまり、コンテンツ記録装置は、ストリームコンテンツを受信するのは、第一の具体例と同じである。
【００３５】
以上のような状況において、ユーザが購入した記録媒体をＩＣカードリーダーに差し込む。記録制御情報取得部は、ＩＣカード内の記録制御情報である「番組名」と記録許諾を示す「１」を取得する。そして、ユーザがコンテンツ記録指示をコンテンツ記録装置に対して入力すれば、コンテンツ記録装置は、ストリームのヘッダー情報（Ｓ２０１）から受信した放送の番組と上記の「番組名」を比較し、一致した場合はコンテンツを別の記録媒体に複写する。一方、ユーザが記録制御情報「０」が記録されたＩＣカード、つまり、著作権料を払っていないと見なされるＩＣカードをＩＣカードリーダーに差し込んで、コンテンツ記録指示をコンテンツ記録装置に対して入力しても、コンテンツ記録装置はコンテンツを別の記録媒体に複写しない。
【００３６】
上記の例における第一の具体例では、コンテンツ記録装置のコンテンツ記録制御部は、例えば、記録許諾対象情報である「番組名」と「１」か「０」等であらわされる記録許諾情報からなる記録制御情報に基づいてコンテンツ記録部にコンテンツを記録することを指示する／または記録しないことを指示する。そして、受信した番組と記録許諾対象情報である「番組名」が一致し、かつ記録制御情報が「１」である場合のみ、コンテンツ記録装置は受信したストリームコンテンツを記録媒体に記録する。
【００３７】
次に、第三の具体例について説明する。コンテンツ記録装置のコンテンツ記録制御部は、例えば、記録制御情報に基づいてコンテンツを暗号化して記録する／そのままコンテンツを記録することを指示する。つまり、記録制御情報が「１」である場合に、コンテンツ記録装置はそのままコンテンツを記録する。そして、記録制御情報が「０」である場合に、コンテンツ記録装置はコンテンツを暗号化して（スクランブルをかけて）記録する。
【００３８】
次に、第四の具体例について説明する。コンテンツ記録装置のコンテンツ記録制御部は、例えば、記録制御情報に基づいてコンテンツを全部記録する／コンテンツの一部（例えば、コンテンツの前半１５秒など）を記録することを指示する。つまり、記録制御情報が「１」である場合に、コンテンツ記録装置は、受信したストリームコンテンツを全部記録する。また、記録制御情報が「０」である場合に、コンテンツ記録装置はコンテンツの一部（例えば、コンテンツの前半１５秒など）を記録する。
【００３９】
なお、上記第三および第四の具体例において、記録許諾対象情報を同時に用いてもかまわない。
【００４０】
以上、本実施の形態によれば、コンテンツ記録装置から着脱可能な記録媒体の記録制御情報に基づいて記録制御するコンテンツ記録装置を提供することにより、コピーガードされたコンテンツの著作権を適切に保護し、かつコンテンツの流通、利用を促進できる。つまり、記録制御情報が記録された記録媒体を販売し、当該販売による収益を著作権料として著作権者が徴収する。そして、著作権料を徴収した後に、コンテンツのコピーを許す仕組みをコンテンツ記録装置が実現するのである。
【００４１】
なお、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかる実現手段に種々のものがあることは、他の実施の形態においても同様である。本実施の形態における各種の処理をソフトウェアによって実現した場合のプログラムは、以下のような構成となる。当該プログラムは、　コンピュータに、ストリームのコンテンツを受信するコンテンツ受信ステップと、着脱可能な記録媒体から記録制御情報を読み込む記録制御情報取得ステップと、記録制御情報取得ステップで取得した記録制御情報に基づいて、コンテンツ受信ステップで受信したコンテンツを記録するコンテンツ記録ステップを実行させるためのプログラム、である。
また、記録制御情報は１ｂｉｔであり、「０」または「１」であったが、記録制御情報のデータ構造や内容は問わない。
【００４２】
さらに、コンテンツを記録し終わった後、記録制御情報を「１」から「０」に書き換えることで、ＩＣカード等の記録媒体に対して支払われた著作料が、放送される特定の番組に対して支払われたということをより一層明確にすることができる。
【００４３】
（実施の形態２）
図３は、本実施の形態に係る送受信システムの構成を示すブロック図である。送受信システムは、コンテンツを送信するコンテンツ送信装置１０１、記録媒体１０２、コンテンツを受信して記録するコンテンツ記録装置３０３を有する。なお、コンテンツとは、一般的には、映像と音声を有するデータを言うが、ここでは、テキストだけでデータも、音声だけのデータも含み、そのデータタイプは問わない。また、コンテンツは、放送される番組なども含む。
【００４４】
コンテンツ記録装置３０３は、コンテンツ受信部１０３０１、コンテンツ格納部３０３０１、コンテンツ取得部１０３０２、記録指示受付部３０３０２、記録制御情報取得部１０３０３、コンテンツ記録制御部１０３０４、コンテンツ記録部１０３０５を有する。
【００４５】
コンテンツ格納部３０３０１は、コンテンツを格納している。コンテンツ格納部３０３０１は、揮発性の記録媒体でも、不揮発性の記録媒体でも良い。
【００４６】
記録指示受付部３０３０２は、コンテンツを記録する指示であるコンテンツ記録指示を受け付ける。記録指示受付部３０３０２は、例えば、リモコンとそのドライバーソフトにより実現され得る。また、記録指示受付部３０３０２は、例えば、マウスとそのドライバーソフトにより実現され得る。さらに、コンテンツ記録指示は、ユーザから受け付けても、外部の装置からネットワーク経由等で受け付けても良い。
【００４７】
以下、本実施の形態に係る送受信システムの処理について説明する。まず、コンテンツ記録装置３０３がコンテンツを格納するまでの動作について図４のフローチャートを用いて説明する。
【００４８】
（ステップＳ４０１）コンテンツ受信部１０３０１が、コンテンツを受信したか否かを判断する。コンテンツを受信すればステップＳ４０２に行き、コンテンツを受信しなければステップＳ４０１に戻る。
【００４９】
（ステップＳ４０２）コンテンツ取得部１０３０２は、コンテンツ受信部１０３０１が受信したコンテンツを取得する。
【００５０】
（ステップＳ４０３）コンテンツ取得部１０３０２は、ステップＳ４０２で取得したコンテンツをコンテンツ格納部３０３０１に格納する。
【００５１】
次に、コンテンツ記録装置１０３が格納しているコンテンツを記録制御する動作について図５のフローチャートを用いて説明する。
【００５２】
（ステップＳ５０１）記録指示受付部３０３０２は、コンテンツの記録指示を受け付けたか否かを判断する。コンテンツ記録指示を受け付ければステップＳ５０２に行き、コンテンツ記録指示を受け付けなければステップＳ５０１に戻る。
【００５３】
（ステップＳ５０２）記録制御情報取得部１０３０３は、記録媒体１０２に格納されている記録制御情報を取得する。
【００５４】
（ステップＳ５０３）コンテンツ記録制御部１０３０４は、ステップＳ５０２で取得した記録制御情報に基づいてコンテンツの記録方式を決定する。記録方式とは、記録する／記録しないを識別する情報である場合もあれば、記録する場合にスクランブルをかけてコンテンツを記録する／スクランブルをかけずにコンテンツを記録するということを識別する情報である場合もある。また、記録方式とは、コンテンツを全て記録する／コンテンツの一部を記録する／全くコンテンツを記録しないということを識別する情報である場合もある。その他、記録方式とは、コンテンツ記録の方法に関する種々の情報である場合がある。
【００５５】
（ステップＳ５０４）コンテンツ記録制御部１０３０４は、ステップＳ５０３で決定した記録方式に基づいてコンテンツ記録部１０３０５にコンテンツの記録を指示する。
【００５６】
（ステップＳ５０５）コンテンツ記録部１０３０５は、記録方式に基づいてコンテンツを記録する。具体的には、記録方式が何らかのアルゴリズムでコンテンツを記録する方式である場合には、コンテンツ記録部１０３０５は、まずコンテンツ格納部３０３０１からコンテンツを取得する。そして、記録方式に従ったコンテンツの記録を行う。また、記録方式がコンテンツの記録禁止を示す場合は、コンテンツは記録しない。なお、コンテンツ格納部３０３０１に格納されているコンテンツは、一つであるとは限らない。コンテンツ格納部３０３０１に格納されているコンテンツが２以上存在する場合は、ユーザの記録指示にはコンテンツを識別する情報であるコンテンツ識別子も含まれ、コンテンツ記録部１０３０５は、当該コンテンツ識別子に基づいてコンテンツをコンテンツ格納部３０３０１から取得する。
【００５７】
以下、本実施の形態における送受信システムの具体的な動作について説明する。まず、第一の具体例について説明する。今、記録制御情報「１」が記録されたＩＣカード（記録媒体の一種）が存在する。ここでは、記録制御情報は１ｂｉｔであり、記録制御情報として「１」が記録されている記録媒体が存在すれば１つのコンテンツを、ＩＣカードとは別の記録媒体にコピー可能であり、記録制御情報が「０」である場合は、コンテンツを別の記録媒体にコピーできない、とする。
【００５８】
ユーザは、一定の著作権料を支払い記録制御情報「１」が記録されたＩＣカードを得る。また、コンテンツ記録装置は、ＩＣカードリーダーを内蔵している、またはＩＣカードリーダーに接続されている。以上のような状況において、ユーザが購入した記録媒体をＩＣカードリーダーに差し込む。そして、ユーザがコンテンツ記録指示をコンテンツ記録装置に対して入力すれば、コンテンツ記録装置は格納しているコンテンツを別の記録媒体に複写する。一方、ユーザが記録制御情報「０」が記録されたＩＣカード、つまり、著作権料を払っていないＩＣカードをＩＣカードリーダーに差し込んで、コンテンツ記録指示をコンテンツ記録装置に対して入力しても、コンテンツ記録装置はコンテンツを別の記録媒体に複写しない。
【００５９】
以上、第一の具体例において、コンテンツ記録装置のコンテンツ記録制御部は、記録制御情報に基づいてコンテンツ記録部にコンテンツを記録することを指示する／または記録しないことを指示する。
【００６０】
次に、第二の具体例について説明する。送信装置は、暗号化されたコンテンツを送信する。また、送信装置は、コンテンツとともにコンテンツ識別子を送信する。コンテンツ記録装置は、送信装置からコンテンツを受信し、メインメモリに書き込む。そして、コンテンツ記録装置は、ユーザに「コンテンツを記録するか否かを指示させるためのパネル」を表示する。このパネルの例は、図６に示す。
【００６１】
今、コンテンツ記録装置が受信したコンテンツを「コンテンツＸ」とする。つまり、送信装置は、「コンテンツＸ」というコンテンツ識別子とコンテンツを送信したこととなる。コンテンツ記録装置は、受信したコンテンツ識別子「コンテンツＸ」を読み取り、図６のようなパネルを構成して表示する。
【００６２】
次に、ユーザは、マウスやリモコンなどの操作手段を用いて、図６の「ＹＥＳ」ボタンを押下する。次に、コンテンツ記録装置は、ユーザのコンテンツ記録指示を受け付ける。
【００６３】
今、記録媒体には、図７に示す構造を有する記録制御情報が記録されている。図７の記録制御情報は、「記録レベル」と「コンテンツ識別子」を有する。「記録レベル」とは、コンテンツをコピーできる回数を示す。ここでは、「記録レベル」は、コピーフリーか、１度だけコピーできるのか、コピー禁止であるのかを示すいずれかの情報が記録されている。ここでは、「記録レベル」の値は、以下の値をとる、とする。コピーフリーは「２」、１度だけコピーできる場合は「１」、コピー禁止である場合は「０」である。以上のような状況で、記録制御情報として、記録レベル「１」、コンテンツ識別子「コンテンツＸ」が、記録媒体に記録されている、とする。
【００６４】
コンテンツ記録装置は、受信したコンテンツ識別子と、記録媒体から読み込んだコンテンツ識別子が一致するので、以下の処理を行う。コンテンツ記録装置は、記録レベル「１」を取得する。次に、受信したコンテンツを取得する。そして、コンテンツには暗号がかかっているので、コンテンツ記録装置は暗号を解く処理を行う。この暗号を解く第一の処理方法として、コンテンツ記録装置が予め暗号を解くキーを保持している場合がある。かかる場合、コンテンツ記録装置は保持しているキーを使ってデスクランブルする（暗号を解く）。暗号を解く第二の処理方法として、暗号を解くキーが記録媒体に記録されている場合がある。かかる場合、記録制御情報として暗号キーも含まれる、と考えられる。そして、コンテンツ記録装置は、キーを記録媒体から読み込み、当該キーを用いてコンテンツをデスクランブルする。かかる場合、コンテンツ記録装置は、スクランブルをかけられたコンテンツをデスクランブルする機能を有する。
【００６５】
次に、コンテンツ記録装置は、デスクランブルしたコンテンツを別の記録媒体に記録する。別の記録媒体とは、コンテンツ記録装置に外付けの光ディスクレコーダに挿入されている光ディスクなどがある。そして、コンテンツ記録装置は、記録したコンテンツをさらにコピーできないように、コピー禁止を示す「０」の記録制御情報をコンテンツに対応付けて別の記録媒体に記録する。この処理は、コンテンツ記録装置のコンテンツ記録制御部は、記録制御情報に基づいてコンテンツ記録部にコンテンツの属性値であるコンテンツ属性値を変更して当該コンテンツを記録することを指示する処理である。ここのコンテンツ属性値とは、コンテンツと対になるコピーガードの情報を言う。また、コンテンツ記録装置は、再利用できないように処理を行う。再利用できないようにする処理とは、例えば、記録媒体の記録制御情報を削除する処理がある。また、再利用できないようにする処理には、記録制御情報中の記録レベルの値を「０」（コピー禁止）に書き換える処理がある。
【００６６】
以上の第二の具体例において、コンテンツ記録装置のコンテンツ記録制御部は、記録制御情報に基づいてコンテンツ記録部にスクランブルがかかっているコンテンツを記録することを指示する場合があることを示した。なお、第二の具体例において、記録制御情報が特定の値を示す場合に、スクランブルがかかっている状態で、別の記録媒体にコンテンツを記録しても良い。かかる場合は、コンテンツ記録装置は、スクランブルがかかっているものをそのまま記録する態様となる。また、第二の具体例において、スクランブルがかかっていないコンテンツを受信したコンテンツ記録装置が、記録制御情報が特定の値を示す場合に、スクランブルをかけてコンテンツを別の記録媒体に記録しても良い。
【００６７】
以上より、第二の具体例において、コンテンツ記録装置のコンテンツ記録制御部は、記録制御情報に基づいてコンテンツ記録部にスクランブルがかかっているコンテンツを記録することを指示する／またはスクランブルがかかっていないコンテンツを記録することを指示することとなる。つまり、コンテンツ記録装置は、スクランブルがかかっていないコンテンツにスクランブルをかけて、当該コンテンツを記録する場合、スクランブルがかかっているコンテンツをそのまま記録する場合、スクランブルがかかっていないコンテンツをそのまま記録する場合、スクランブルがかかっているコンテンツにデスクランブルした後、コンテンツを記録する場合があり得る。
【００６８】
次に、第三の具体例について説明する。送信装置は、映像（動画）情報と音声情報と補助情報を有するコンテンツを送信する。このコンテンツは、例えば、歌手のコンサートのコンテンツである。そして、図８に示す構造を有する記録制御情報が記録媒体に格納されている。図８の記録制御情報は、「フィルタリング情報」と「コンテンツ識別子」を有する。「コンテンツ識別子」は、記録制御するコンテンツを識別する情報である。「フィルタリング情報」は、コンテンツのうちどのタイプのデータを記録するかを示す情報である。今、「フィルタリング情報」は、映像情報の記録の可否を示す「映像情報ビット」と、音声情報の記録の可否を示す「音声情報ビット」と、補助情報の記録の可否を示す「補助情報ビット」を有する。「映像情報ビット」が「１」の場合は、コンテンツ中の映像情報のコピーが可能である。「映像情報ビット」が「０」の場合は、コンテンツ中の映像情報のコピーが禁止される。「音声情報ビット」、「補助情報ビット」も、「映像情報ビット」と同様にそれぞれのタイプのデータのコピーの可否を示す。各ビットの値が「１」の場合はコピー可能で、「０」の場合はコピー不可である。なお、補助情報とは、例えば、コンサートで歌う歌手のプロフィールを説明する情報などである。
【００６９】
今、図９に示す記録制御情報が記録媒体に格納されている。かかる場合、コンテンツ識別子「映画ＡＢＣ」のコンテンツがコンテンツ送信装置から送信される。そして、コンテンツ記録装置は、「映画ＡＢＣ」のコンテンツを受信する。そして、第三の具体例においては、ユーザ指示によらず、自動的にコンテンツ記録処理を行うとする。コンテンツ送信装置は、記録媒体から記録制御情報を読み取り、コンテンツ識別子「歌手Ｙコンサート」を得る。このコンテンツ識別子は、受信したコンテンツのコンテンツ識別子と異なるので記録処理はしない。次に、コンテンツ送信装置はコンテンツ識別子「歌手Ｙコンサート」のコンテンツを送信する。このコンテンツは、映像情報と音声情報と補助情報を有する。
【００７０】
そして、コンテンツ記録装置は、コンテンツ識別子「歌手Ｙコンサート」のコンテンツを受信する。そして、コンテンツ記録装置は、記録媒体から記録制御情報を読み取り、コンテンツ識別子「歌手Ｙコンサート」を得る。このコンテンツ識別子は、受信したコンテンツのコンテンツ識別子と同じであるので、以下の記録処理を行う。つまり、コンテンツ記録装置は、記録制御情報が有する「フィルタリング情報」を取得する。そして、コンテンツ記録装置は、図９のフィルタリング情報から「音声情報ビット」のみが「１」であることを認識する。次に、コンテンツ記録装置は、受信したコンテンツのうちから「音声情報」のみをフィルタリングし（取り出し）、別の記録媒体に記録する。このようにして、歌手Ｙのコンサートのコンテンツのうち音声情報のみが記録される。つまり、第三の具体例において、コンテンツ記録装置のコンテンツ記録制御部は、記録制御情報に基づいてコンテンツ記録部にコンテンツの一部を記録することを指示した。また、特に、コンテンツが画像情報と音声情報を含み、コンテンツの一部とは音声情報であった。しかし、コンテンツがストーリー性のあるコンテンツで、コンテンツの一部がその前半部であっても良い。さらに、コンテンツが電子ブックのコンテンツであり、その一部が目次の情報だけであっても良い。
【００７１】
以上、本実施の形態によれば、コンテンツ記録装置から着脱可能な記録媒体の記録制御情報に基づいて記録制御するコンテンツ記録装置を提供することにより、コピーガードされたコンテンツの著作権を適切に保護し、かつコンテンツの流通、利用を促進できる。つまり、記録制御情報が記録された記録媒体を販売し、当該販売による収益を著作権料として著作権者が徴収する。そして、著作権料を徴収した後に、コンテンツのコピーを許す仕組みをコンテンツ記録装置が実現するのである。
【００７２】
なお、本実施の形態において、コンテンツ記録装置がコピーするコンテンツは放送などにより受信したコンテンツであった。しかし、コンテンツ記録装置がコピーするコンテンツは、光ディスクなどの記録媒体に記録されたコンテンツでも良い。つまり、コンテンツ記録装置における、コンテンツ受信部、コンテンツ取得部は必須の構成要素ではない。また、コンテンツ記録装置は、主としてユーザ指示に基づいてコンテンツのコピーを行ったが、ユーザ指示によらず、自動的にコンテンツをコピーしても良い。つまり、コンテンツ記録装置における、記録指示受付部は必須の構成要素ではない。以上より、コンテンツ記録装置の必須の構成要素は、コンテンツを格納しているコンテンツ格納部と、コンテンツを記録するコンテンツ記録部と、着脱可能な記録媒体から記録制御情報を読み込む記録制御情報取得部と、記録制御情報取得部が取得した記録制御情報に基づいてコンテンツ記録部にコンテンツの記録に関する指示を行うコンテンツ記録制御部である。
【００７３】
さらに、本実施の形態において、コンテンツを一度コンテンツ格納部に格納してから記録制御をした。しかし、コンテンツがストリームコンテンツであり、ストリームをリアルアイムに記録制御しても良い。つまり、ストリームの一部を順次受信して、当該一部のストリームについて順次記録制御しても良い。かかる態様は、実施の形態１で示した。また、かかる態様の場合、コンテンツ格納部は不要である。
【００７４】
（実施の形態３）
図１０は、本実施の形態に係る送受信システムの構成を示すブロック図である。送受信システムは、コンテンツを送信するコンテンツ送信装置１０１、記録媒体１０２、コンテンツを受信して記録するコンテンツ記録装置１００３を有する。
【００７５】
コンテンツ記録装置１００３は、コンテンツ記録制御情報取得部１００３０１、コンテンツ受信部１０３０１、コンテンツ格納部１００３０２、コンテンツ取得部１０３０２、記録指示受付部３０３０２、記録制御情報取得部１０３０３、コンテンツ記録制御部１００３０１、コンテンツ記録部１０３０５を有する。
【００７６】
コンテンツ記録制御情報取得部１００３０１は、コンテンツ格納部１００３０２に格納されているコンテンツ記録制御情報を取得する。コンテンツ記録制御情報取得部１００３０１は、通常、ソフトウェアにより実現され得るが、ハードウェア（専用回路）により実現されても良い。
【００７７】
コンテンツ格納部１００３０２は、コンテンツと当該コンテンツの記録制御に関する情報であるコンテンツ記録制御情報を対に格納している。コンテンツ格納部１００３０２の実現手段は、コンテンツ格納部３０３０１の実現手段と同様である。
【００７８】
コンテンツ記録制御部１００３０１は、記録制御情報取得部１０３０３が取得した記録制御情報とコンテンツ記録制御情報取得部１００３０１が取得したコンテンツ記録制御情報に基づいてコンテンツ記録部１０３０５にコンテンツの記録に関する指示を行う。コンテンツ記録制御部１００３０１は、通常、ソフトウェアにより実現され得るが、ハードウェア（専用回路）により実現されても良い。
【００７９】
以下、本実施の形態に係る送受信システムの処理について説明する。コンテンツ送信装置１０１の動作については、実施の形態１で説明した。コンテンツ記録装置１０３がコンテンツを格納するまでの動作については、図２のフローチャートを用いて説明済みである。次に、コンテンツ記録装置１００３が格納しているコンテンツを記録制御する動作について図１１のフローチャートを用いて説明する。
【００８０】
（ステップＳ１１０１）記録指示受付部３０３０２は、コンテンツの記録指示を受け付けたか否かを判断する。コンテンツ記録指示を受け付ければステップＳ１１０２に行き、コンテンツ記録指示を受け付けなければステップＳ１１０１に戻る。
【００８１】
（ステップＳ１１０２）記録制御情報取得部１０３０３は、記録媒体１０２に格納されている記録制御情報を取得する。
【００８２】
（ステップＳ１１０３）コンテンツ記録制御情報取得部１００３０１は、コンテンツ格納部１００３０２に格納されているコンテンツ記録制御情報を取得する。
【００８３】
（ステップＳ１１０４）コンテンツ記録制御部１００３０１は、ステップＳ１１０２で取得した記録制御情報と、ステップＳ１１０３で取得したコンテンツ記録制御情報に基づいてコンテンツの記録方式を決定する。
【００８４】
（ステップＳ１１０５）コンテンツ記録制御部１００３０１は、ステップＳ１１０４で決定した記録方式に基づいてコンテンツ記録部１０３０５にコンテンツの記録を指示する。
【００８５】
（ステップＳ１１０６）コンテンツ記録部１０３０５は、記録方式に基づいてコンテンツを記録する。具体的には、記録方式が何らかのアルゴリズムでコンテンツを記録する方式である場合には、コンテンツ記録部１０３０５は、まずコンテンツ格納部１００３０２からコンテンツを取得する。そして、記録方式に従ったコンテンツの記録を行う。また、記録方式がコンテンツの記録禁止を示す場合は、コンテンツは記録しない。なお、コンテンツ格納部１００３０２に格納されているコンテンツは、一つであるとは限らない。コンテンツ格納部１００３０２に格納されているコンテンツが２以上存在する場合は、ユーザの記録指示にはコンテンツを識別する情報であるコンテンツ識別子も含まれ、コンテンツ記録部１０３０５は、当該コンテンツ識別子に基づいてコンテンツをコンテンツ格納部１００３０２から取得する。
【００８６】
以下、本実施の形態における送受信システムの具体的な動作について説明する。まず、第一の具体例について説明する。今、コンテンツ送信装置は、コンテンツとコンテンツ記録制御情報を対に有する。例えば、コンテンツ記録制御情報は、コンテンツをコピーできる回数を示す情報である、とする。コンテンツ記録制御情報は、「０」「１」「２」の値をとり得る。コンテンツ記録制御情報が「０」である場合は、コンテンツのコピーはフリーである。また、コンテンツ記録制御情報が「１」である場合は、コンテンツのコピーは一度限り許される。コンテンツ記録制御情報が「２」である場合は、コンテンツのコピーはできない。そして、コンテンツ記録装置から着脱可能な記録媒体に記録されている記録制御情報は、「０」「１」「２」のうちのいずれかの値をとり得る。記録制御情報が「０」の場合において、コンテンツの記録制御は、コンテンツ記録制御情報に依存する。記録制御情報が「１」の場合において、コンテンツの記録制御は、コンテンツ記録制御情報より１レベルアップする。コンテンツ記録制御情報より１レベルアップするとは、コンテンツ記録制御情報が「２」でコピー禁止である場合は、１度だけコピーできるようになる。そして、コンテンツ記録制御情報が「１」で１度だけコピーできる場合は、コピーフリーになる。また、記録制御情報が「２」の場合において、コンテンツの記録制御は、コンテンツ記録制御情報より２レベルアップする。つまり、すべてコピーフリーとなる。
【００８７】
以上より、図１２のように、コンテンツ記録制御情報と記録制御情報に基づいて、コンテンツに対してコピー制御がなされる。なお、図１２の表を記録制御管理表と言う、こととする。
【００８８】
今、コンテンツ記録制御情報「２」のコンテンツがコンテンツ送信装置により送信され、コンテンツ記録装置が受信した、とする。そして、コンテンツ記録装置から着脱可能な記録媒体には、記録制御情報「１」が格納されている。かかる場合、ユーザの記録指示をまって、コンテンツ記録装置は、コンテンツ記録制御情報「２」と記録制御情報「１」に基づいてコンテンツを別の記録媒体に記録する。つまり、一度だけコンテンツの記録が許されるので、コンテンツを記録するとともに、二度目の記録ができないように、コンテンツが対に有するコンテンツ記録制御情報をコピー禁止（ここでは、「２」）とする。また、コンテンツ記録装置は、別の記録媒体に記録したコンテンツと対になるコンテンツ記録制御情報として、コピー禁止を示す値「２」を当該別の記録媒体に記録する。
【００８９】
以上、第一の具体例によれば、コンテンツ記録装置のコンテンツ記録制御部は、記録制御情報とコンテンツ記録制御情報に基づいてコンテンツ記録部にコンテンツを記録することを指示する／または記録しないことを指示することができる。
【００９０】
次に、第二の具体例について説明する。コンテンツ送信装置は、暗号化されたコンテンツを送信する。また、コンテンツ送信装置は、コンテンツとともにコンテンツ識別子を送信する。コンテンツ記録装置は、コンテンツ送信装置からコンテンツを受信し、メインメモリに書き込む。そして、コンテンツ記録装置は、ユーザに「コンテンツを記録するか否かを指示させるためのパネル」を表示する。このパネルの例は、図６に示す。今、コンテンツ記録装置が受信したコンテンツを「コンテンツＸ」である。次に、ユーザは、マウスやリモコンなどの操作手段を用いて、図６の「ＹＥＳ」ボタンを押下する。次に、コンテンツ記録装置は、ユーザのコンテンツ記録指示を受け付ける。
【００９１】
今、記録媒体には、図１３に示す構造を有する記録制御情報が記録されていている。記録制御情報は、「暗号レベル」「コンテンツ識別子」を有し、「暗号レベル」は「０」または「１」の値をとり得る。「暗号レベル」が「０」の場合は暗号をかけている状態のコンテンツを記録し、「暗号レベル」が「１」の場合は暗号をかけていない状態のコンテンツを記録する。「コンテンツ識別子」は、記録するコンテンツを識別する情報である。
【００９２】
そして、コンテンツ記録制御情報は、コンテンツのコピー回数を示す情報が格納されている。コンテンツ記録制御情報が「０」である場合はコピー不可であり、コンテンツ記録制御情報が「１」である場合はコピーが１回だけ可能であり、コンテンツ記録制御情報が「２」である場合はコピーが２回可能であり、コンテンツ記録制御情報が数字のｎである場合はｎ回のコピーが可能であり、コンテンツ記録制御情報がアルファベットの「Ａ」である場合はコピーフリーである、とする。
【００９３】
かかる場合、コンテンツ記録装置は、受信したコンテンツが有するコンテンツ識別子と、記録媒体に記録されている記録制御情報が有するコンテンツ識別子が一定の関係がある場合（ここでの例は、一致する場合）には、記録媒体から記録制御情報を取得し、コンテンツ格納部からコンテンツと対になるコンテンツ記録制御情報を取得する。そして、コンテンツ記録装置は、記録制御情報とコンテンツ記録制御情報に基づいてコンテンツを記録する。
【００９４】
今、記録制御情報が「１」で、コンテンツ記録制御情報が「１」である場合には、暗号化したコンテンツを一度だけ記録できる。従って、コンテンツ記録装置は、コンテンツを暗号化し、別の記録媒体にコンテンツを記録する。そして、記録した先のコンテンツをコピー禁止にする。また、コンテンツ格納部のコンテンツもコピー禁止にする。つまり、記録した先のコンテンツおよびコンテンツ格納部のコンテンツと対になるコンテンツ記録制御情報をコピー禁止とする。具体的には、ここでは、コンテンツ記録制御情報を「０」とする。なお、コンテンツ記録装置が受信したコンテンツが暗号化されている場合は、コンテンツ記録装置は再度の暗号化をする必要はない。記録制御情報が「１」である場合には、暗号化されている状態のコンテンツが記録されれば良い。
【００９５】
また、記録制御情報が「０」で、コンテンツ記録制御情報が「２」である場合には、コンテンツ記録装置は、暗号化されていないコンテンツを別の記録媒体に記録する。そして、コンテンツ記録装置は、コンテンツ格納部のコンテンツのコンテンツ記録制御情報を「１」に書き換える。また、別の記録媒体に記録したコンテンツのコンテンツ記録制御情報は。コピー禁止を示す「０」が好適である。
【００９６】
以上、第二の具体例によれば、コンテンツ記録装置のコンテンツ記録制御部は、記録制御情報とコンテンツ記録制御情報に基づいてコンテンツ記録部にスクランブルがかかっているコンテンツを記録することを指示する／またはスクランブルがかかっていないコンテンツを記録することを指示することができる。
【００９７】
次に、第三の具体例について説明する。コンテンツ送信装置は、映像（動画）情報と音声情報と補助情報を有するコンテンツを送信する。このコンテンツは、例えば、歌手のコンサートのコンテンツである。そして、図８に示す構造を有する記録制御情報が記録媒体に格納されている。
【００９８】
今、図１４に示す記録制御情報が記録媒体に格納されている。かかる場合、コンテンツ送信装置はコンテンツ識別子「歌手Ｙコンサート」のコンテンツを送信する、とする。このコンテンツは、映像情報と音声情報と補助情報を有する。そして、コンテンツ記録制御情報は、「０」または「１」を取り得る、とする。コンテンツ記録制御情報が「０」の場合はコピー不可であり、コンテンツ記録制御情報が「１」の場合はコピー可である、とする。今、「歌手Ｙコンサート」のコンテンツのコンテンツ記録制御情報は「０」である、とする。しかし、コンテンツ記録制御情報が「０」でコピー不可の場合でも、記録制御情報によって記録可のデータタイプがあれば、記録制御情報を優先して、許可されたデータタイプのみの記録が許される。図１４によれば、映像情報と音声情報の記録が許可されている（映像情報と音声情報のフィルタリング情報のｂｉｔが「１」である）ので、コンテンツ記録装置は、「歌手Ｙコンサート」のコンテンツを構成する映像情報と音声情報を別の記録媒体に記録する。なお、ここでは、コンテンツ記録制御情報が「１」の場合は、記録制御情報の値に関わらずコピー可能である、とする。
【００９９】
以上の第三の具体例によれば、コンテンツ記録装置のコンテンツ記録制御部は、記録制御情報とコンテンツ記録制御情報に基づいてコンテンツ記録部にコンテンツの一部を記録することを指示する。コンテンツはコンサートの情報に限らない。つまり、コンテンツがストーリー性のあるコンテンツで、コンテンツの一部がその前半部であっても良い。また、コンテンツが電子ブックのコンテンツであり、その一部が目次の情報だけであっても良い。さらに、コンテンツの一部は映像情報と音声情報であったが、コンテンツの一部は音声情報のみ、または補助情報のみなどの他のタイプの情報、他のタイプの情報の組み合わせでも良い。
【０１００】
以上、本実施の形態によれば、着脱可能な記録媒体の記録制御情報とコンテンツ記録制御情報に基づいて記録制御するコンテンツ記録装置を提供することにより、コピーガードされたコンテンツの著作権を適切に保護し、かつコンテンツの流通、利用を促進できる。つまり、記録制御情報が記録された記録媒体を販売し、当該販売による収益を著作権料として著作権者が徴収する。そして、著作権料を徴収した後に、コンテンツのコピーを許す仕組みをコンテンツ記録装置が実現するのである。
【０１０１】
なお、本実施の形態において、コンテンツ記録装置がコピーするコンテンツは放送などにより受信したコンテンツであった。しかし、コンテンツ記録装置がコピーするコンテンツは、光ディスクなどの記録媒体に記録されたコンテンツでも良い。つまり、コンテンツ記録装置における、コンテンツ受信部、コンテンツ取得部は必須の構成要素ではない。また、コンテンツ記録装置は、ユーザ指示に基づいてコンテンツのコピーを行ったが、ユーザ指示によらず、自動的にコンテンツをコピーしても良い。つまり、コンテンツ記録装置における、記録指示受付部は必須の構成要素ではない。以上より、コンテンツ記録装置の必須の構成要素は、コンテンツとコンテンツ記録制御情報を対に格納しているコンテンツ格納部と、コンテンツを記録するコンテンツ記録部と、着脱可能な記録媒体から記録制御情報を読み込む記録制御情報取得部と、コンテンツ格納部からコンテンツ記録制御情報を取得するコンテンツ記録制御情報取得部と、記録制御情報とコンテンツ記録制御情報に基づいてコンテンツ記録部にコンテンツの記録に関する指示を行うコンテンツ記録制御部である。
【０１０２】
また、本実施の形態において、コンテンツを一度コンテンツ格納部に格納してから記録制御をした。しかし、コンテンツがストリームコンテンツであり、ストリームをリアルアイムに記録制御しても良い。つまり、ストリームの一部を順次受信して、当該一部のストリームについて順次記録制御しても良い。かかる態様は、実施の形態１で示した。また、かかる態様の場合、コンテンツ格納部は不要である。
【０１０３】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。本実施の形態における各種の処理をソフトウェアによって実現した場合のプログラムは、以下のような構成となる。当該プログラムは、コンピュータに、コンテンツ記録指示を受け付けるコンテンツ記録指示受付ステップと、コンテンツ記録指示受付ステップでコンテンツ記録指示を受け付けた場合に、記録媒体に格納されている記録制御情報を取得する記録制御情報取得ステップと、格納されているコンテンツ記録制御情報を取得するコンテンツ記録制御情報取得ステップと、記録制御情報とコンテンツ記録制御情報に基づいてコンテンツを記録する指示をするコンテンツ記録指示ステップと、コンテンツ記録指示ステップにおけるコンテンツの記録指示に基づいて、格納されているコンテンツを記録するコンテンツ記録ステップを実行させるためのプログラム、である。
【０１０４】
（実施の形態４）
図１５は、本実施の形態に係る課金処理装置の構成を示すブロック図である。課金処理装置は、記録制御情報保持部１３０１、記録制御情報取得部１３０２、記録制御情報記録部１３０３、記録履歴情報記録部１３０４、記録履歴情報格納部１３０５、入力受付部１３０６、記録履歴情報取得部１３０７、課金料算出部１３０８、課金料出力部１３０９を有する。
【０１０５】
記録制御情報保持部１３０１は、記録制御情報を保持している。記録制御情報保持部１３０１は、不揮発性の記録媒体でも、揮発性の記録媒体でも良い。
【０１０６】
記録制御情報取得部１３０２は、記録制御情報保持部１３０１の記録制御情報を取得する。記録制御情報取得部１３０２は、通常、ソフトウェアにより実現され得るが、ハードウェア（専用回路）により実現されても良い。
【０１０７】
記録制御情報記録部１３０３は、記録制御情報取得部１３０２が取得した記録制御情報を記録媒体に記録する。記録制御情報記録部１３０３は、記録媒体に情報を記録するソフトウェアとライター（ハードウェア）により実現され得る。記録媒体は、課金処理装置から着脱可能な記録媒体である、例えば、ＩＣカードで実現され得る。また、記録媒体は、実施の形態１、実施の形態２で述べたコンテンツ記録装置で利用され得る記録媒体である。
【０１０８】
記録履歴情報記録部１３０４は、記録制御情報記録部１３０３が記録制御情報を記録媒体に記録することに関する情報である記録履歴情報を取得し、記録履歴情報格納部１３０５に記録する。記録履歴情報記録部１３０４は、記録履歴情報格納部１３０５に記録履歴情報を記録する。記録履歴情報記録部１３０４は、通常、ソフトウェアにより実現され得るが、ハードウェア（専用回路）により実現されても良い。
【０１０９】
記録履歴情報格納部１３０５は、一以上の記録履歴情報を格納している。記録履歴情報格納部１３０５は、不揮発性の記録媒体でも、揮発性の記録媒体でも良い。
【０１１０】
入力受付部１３０６は、記録制御情報の記録媒体への記録指示、または課金料算出の指示を受け付ける。入力受付部１３０６、例えば、マウスとそのドライバーソフトからなる。但し、入力受付部１３０６は、ユーザからの指示（命令）を受け付ける手段であっても良いし、外部の装置から命令を受け付ける手段であっても良い。
【０１１１】
記録履歴情報取得部１３０７は、記録履歴情報を記録履歴情報格納部１３０５から取得する。記録履歴情報取得部１３０７は、通常、ソフトウェアから構成されるが、ハードウェア（専用回路）により実現しても良い。
【０１１２】
課金料算出部１３０８は、記録履歴情報取得部１３０７が取得した記録履歴情報に基づいて課金料を算出する。課金料算出部１３０８は、通常、ソフトウェアから構成されるが、ハードウェア（専用回路）により実現しても良い。
【０１１３】
課金料出力部１３０９は、課金料算出部１３０８が算出した課金料を出力する。出力とは、ディスプレイへの出力や、プリンタへの印字や、送信などを言う。
【０１１４】
以下、本実施の形態に係る課金処理装置の処理について説明する。まず、課金処理装置が着脱可能な記録媒体に記録制御情報を記録する動作について、図１６のフローチャートを用いて説明する。
【０１１５】
（ステップＳ１６０１）入力受付部１３０６は、記録制御情報の記録媒体への記録指示を受け付けたか否かを判断する。記録指示を受け付ければステップＳ１６０２に行き、記録指示を受け付けなければステップＳ１６０１に戻る。
【０１１６】
（ステップＳ１６０２）記録制御情報取得部１３０２は、記録制御情報保持部１３０１から記録制御情報を取得する。
【０１１７】
（ステップＳ１６０３）記録制御情報記録部１３０３は、ステップＳ１６０２で取得した記録制御情報を記録媒体に記録する。
【０１１８】
（ステップＳ１６０４）記録履歴情報記録部１３０４は、ステップＳ１６０３における記録制御情報の記録に関する情報である記録履歴情報を取得する。記録履歴情報の取得アルゴリズムは種々考えられる。例えば、記録履歴情報記録部１３０４は、記録履歴情報を記録する旨を示す情報を取得する。また、例えば、記録履歴情報記録部１３０４は、記録媒体を識別する記録媒体識別子を取得して、この記録媒体識別子を記録履歴情報とする。かかる場合、記録履歴情報を参照すれば、どのような記録媒体に記録制御情報が記録されたかが判断できる。
【０１１９】
（ステップＳ１６０５）記録履歴情報記録部１３０４は、ステップＳ１６０４で取得した記録履歴情報を記録履歴情報格納部１３０５に記録する。
【０１２０】
次に、課金処理装置が課金料を算出し、出力する動作について、図１７のフローチャートを用いて説明する。
【０１２１】
（ステップＳ１７０１）入力受付部１３０６は、課金料算出の指示を受け付けたか否かを判断する。指示を受け付ければステップＳ１７０２に行き、指示を受け付けなければステップＳ１７０１に戻る。
【０１２２】
（ステップＳ１７０２）課金料算出部１３０８は、記録履歴情報格納部１３０５から記録履歴情報を取得する。
【０１２３】
（ステップＳ１７０３）課金料算出部１３０８は、ステップＳ１７０２で取得した記録履歴情報に基づいて課金料を算出する。
【０１２４】
（ステップＳ１７０４）課金料出力部１３０９は、ステップＳ１７０３で算出した課金料を出力する。
【０１２５】
以下、本実施の形態における課金処理装置の具体的な動作について説明する。まず、課金処理装置において、着脱可能な記録媒体に記録制御情報を書き込む処理について説明する。今、図１８に示すパネルにより、記録制御情報が書き込まれた記録媒体を製造する。図１８のパネルによれば、１回のみコピーを許すのか、２回コピーを許すのか、コピーフリーにするのかの３パターンの記録制御情報が記録媒体に書き込み得る。今、記録媒体の製造者が、「２回」の記録制御情報を選択すると、「２回」の記録制御情報が記録媒体に記録され、実施の形態１から実施の形態３で説明したコンテンツ記録装置で利用され得る。
【０１２６】
そして、課金処理装置は、かかる記録制御情報の記録の履歴に関する情報を蓄積する。記録履歴情報の例を図１９に示す。記録履歴情報は、「記録制御情報」と「製造数」の属性値を有するレコードを複数格納している表で表される。ここで、図１９の表を記録履歴情報管理表という。そして、「記録制御情報」とは、コピーできる回数を示す３レベルの情報である。「製造数」とは、３レベルの「記録制御情報」が格納された記録媒体の製造数である。この「記録制御情報」と「製造数」により課金料が決定される。一般的に、コピー回数「１回」の記録制御情報が記録された記録媒体の方が、コピーフリーの記録制御情報が記録された記録媒体より安価である。
【０１２７】
そして、課金料算出部は、図１９の記録履歴情報管理表に基づいて課金料を算出する。そして、課金料算出部が課金料を算出する場合の単価を管理している課金単価表を図２０に示す。図２０の表は、例えば、課金料算出部が保持している。従って、課金料算出部は、図１９の記録履歴情報管理表と、図２０の課金単価表に基づいて全体の課金料を算出する。具体的には、「１０５×１００円＋２７７×１５０円＋５３×５００円」により「７８５５０円」となる。
【０１２８】
次に、課金料算出部は、全体の課金料（７８５５０円）をコンテンツの保有者とコンテンツ配信業者に分配する。つまり、例えば、両者が均等割りで収益を得るとすれば、課金料算出部は、コンテンツの保有者とコンテンツ配信業者にそれぞれ「７８５５０／２＝３８２７５円」の収益を分配する計算を行う。そして、課金料出力部は、図２１に示すような課金料を示す情報を出力する。
【０１２９】
以上、本実施の形態によれば、実施の形態１から実施の形態３で述べたコンテンツ記録装置で利用できる記録媒体を製造できる。また、コンテンツの著作権料を適切に算出できる。
【０１３０】
なお、本実施の形態において、課金処理装置において、記録媒体の製造処理と、課金料算出処理の両方を行ったが、それぞれの処理を別の装置で行っても良い。つまり、記録媒体の製造装置は、記録制御情報保持部、記録制御情報取得部、記録制御情報記録部を具備している。また、課金処理装置の必須の構成要件は、記録履歴情報格納部、記録履歴情報取得部、課金料算出部である。
【０１３１】
また、本実施の形態において、入力受付部でユーザからの指示がある場合に、記録媒体の製造処理と、課金料算出処理を行ったが、何らかのトリガーにより自動的に処理を開始しても良い。
【０１３２】
さらに、本実施の形態において、課金料出力部が算出した課金料を出力したが、算出した課金料を課金料算出装置が格納しているだけでも良い。そして、かかる場合、課金料を格納している媒体を課金料算出装置から取り外して、別の装置に課金料を読み込ませて処理をしても良い。
【０１３３】
（実施の形態５）
図２２は、本実施の形態に係る送受信システムの構成を示すブロック図である。送受信システムは、コンテンツを送信するコンテンツ送信装置１０１、記録媒体１０２、コンテンツを受信するコンテンツ受信装置２２０３、コンテンツを記録するコンテンツ記録装置２２０４を有する。なお、ここでのコンテンツとは、ストリームコンテンツであり、一般的には、映像と音声を有するデータを言うが、そのデータタイプは問わない。また、コンテンツは、放送される番組なども含む。また、ここでのコンテンツは、コンテンツを識別するコンテンツ識別子とコンテンツ記録制御情報を含む、とする。コンテンツ識別子とは、例えば、番組名や曲名などである。また、コンテンツ記録制御情報とはコンテンツのコピーを制御するための情報であり、例えば、コンテンツがコピーフリーか、一度だけコピーを許すか、コピー禁止であるかを示す情報である。
【０１３４】
コンテンツ受信装置２２０３は、コンテンツ受信部１０３０１、記録制御情報取得部１０３０３、コンテンツ記録制御情報変更部２２０３０１を有する。
コンテンツ記録装置２２０４は、コンテンツ取得部２２０４０１、コンテンツ記録部２２０４０２を有する。
【０１３５】
コンテンツ記録制御情報変更部２２０３０１は、記録制御情報取得部１０３０５が取得した記録制御情報に基づいて、コンテンツ受信部１０３０１が受信したコンテンツが有するコンテンツ記録制御情報を変更する。例えば、記録制御情報取得部１０３０３が取得した記録制御情報が、コピー禁止のコンテンツを一度だけコピーを許すようにする旨の情報と、コンテンツ識別子（番組名など）である、とする。そして、コンテンツ受信部１０３０１が受信したコンテンツのコンテンツ記録制御情報がコピー禁止であり、当該コンテンツのコンテンツ識別子と記録制御情報が有するコンテンツ識別子が一致した場合に、コンテンツ記録制御情報変更部２２０３０１は、コンテンツのコンテンツ記録制御情報を一度だけコピーを許す旨の情報に書き換える。コンテンツ記録制御情報変更部２２０３０１は、通常、ソフトウェアで実現されるが、ハードウェア（専用回路など）で実現されても良い。
なお、コンテンツ受信装置２２０３は、受信したコンテンツを出力する構成でも良い。受信したコンテンツを出力することは、いわゆるテレビジョン装置の構成であるので、詳細な説明は省略する。
【０１３６】
コンテンツ取得部２２０４０１は、コンテンツ受信装置２２０３からコンテンツを取得する。コンテンツの取得は、コンテンツをコピーするためであり、通常、コンテンツ受信装置２２０３とコンテンツ記録装置が接続された有線を経由して取得されるが、無線通信により取得しても良い。
【０１３７】
コンテンツ記録部２２０４０２は、コンテンツ取得部２２０４０１が取得したコンテンツが有するコンテンツ記録制御情報に基づいてコンテンツを記録する。また、コンテンツ記録部２２０４０２は、コンテンツを記録する際に、コンテンツが有するコンテンツ記録制御情報を書き換える場合もある。
つまり、例えば、コンテンツ記録制御情報がコピー禁止を示す情報である場合は、コンテンツ記録部２２０４０２はコンテンツを記録しない。コンテンツ記録制御情報が一度だけコピーを許す旨の情報である場合は、コンテンツ記録部２２０４０２はコンテンツを記録し、コンテンツ記録制御情報をコピー禁止の情報に書き換える。また、コンテンツ記録制御情報がコピーフリーを許す旨の情報である場合は、単にコンテンツを記録する。コンテンツ記録部２２０４０２は、コンテンツの記録制御のためのソフトウェアまたはハードウェアにより実現される。ここで、コンテンツが記録される記録媒体は、コンテンツ記録部２２０４０２に含むと考えても、含まないと考えても良い。
【０１３８】
次に、コンテンツ受信装置２２０３の動作について図２３のフローチャートを用いて説明する。
（ステップＳ２３０１）コンテンツ受信部１０３０１が、コンテンツストリームの受信を開始したか否かを判断する。コンテンツの受信を開始したとの判断である場合はステップＳ２３０２に行き、コンテンツの受信を開始していないとの判断である場合はステップＳ２３０１に戻る。なお、コンテンツ受信の開始は、例えば、受信するストリームのヘッダー情報をチェックして判断され得る。
【０１３９】
（ステップＳ２３０２）記録制御情報取得部１０３０３は、記録媒体１０２から記録制御情報を取得する。
（ステップＳ２３０３）コンテンツ記録制御情報変更部２２０３０１は、ステップＳ２３０１で受信したコンテンツのコンテンツ記録制御情報を取得する。
【０１４０】
（ステップＳ２３０４）コンテンツ記録制御情報変更部２２０３０１は、ステップＳ２３０２で取得した記録制御情報とステップＳ２３０３で取得したコンテンツ記録制御情報が一定の関係にあるか否かを判断する。一定の関係にあるか否かの判断は、例えば、以下のように行う。記録制御情報取得部１０３０３が取得した記録制御情報が有するコンテンツ識別子と、受信したコンテンツのコンテンツ識別子が一致するか否かを判断する。そして、両識別子が一致し、かつ、受信したコンテンツのコンテンツ記録制御情報がコピー禁止であり、かつ、記録制御情報がコピー禁止のコンテンツを一度だけコピーを許す旨の情報である場合に、コンテンツ記録制御情報変更部２２０３０１は、記録制御情報とコンテンツ記録制御情報が一定の関係にあると判断する。記録制御情報とコンテンツ記録制御情報が一定の関係にあればステップＳ２３０５に行き、記録制御情報とコンテンツ記録制御情報が一定の関係になければステップＳ２３０６に飛ぶ。なお、一定の関係とは上記に限られず、その条件は何でも良い。
【０１４１】
（ステップＳ２３０５）コンテンツ記録制御情報変更部２２０３０１は、コンテンツ記録制御情報を変更する。例えば、コンテンツ記録制御情報変更部２２０３０１は、コンテンツのコンテンツ記録制御情報を、コピー禁止を示す情報から一度だけコピーを許す旨の情報に書き換える。
（ステップＳ２３０６）受信したコンテンツストリームを一時格納する。
【０１４２】
（ステップＳ２３０７）コンテンツ受信部１０３０１は、次のコンテンツストリームを受信したか否かを判断する。コンテンツストリームを受信すればステップＳ２３０８に行き、コンテンツストリームを受信しなければステップＳ２３０９に飛ぶ。
【０１４３】
（ステップＳ２３０８）コンテンツ受信部１０３０１が受信したコンテンツストリームを取得する。ステップＳ２３０６に戻る。
（ステップＳ２３０９）先に受信したコンテンツストリームが最後のストリームであったか否かを判断する。最後のストリームであれば処理を終了し、最後のストリームでなければステップＳ２３０７に戻る。
なお、図２３のフローチャートにおいて、一時格納されたコンテンツストリームは、図示しないディスプレイやスピーカやプリンタ等に出力されても良い。
【０１４４】
次に、コンテンツ記録装置２２０４の動作について図２４のフローチャートを用いて説明する。
（ステップＳ２４０１）コンテンツ取得部２２０４０１は、ストリームの取得が開始されたか否かを判断する。ストリームの取得が開始されればステップＳ２４０２に行き、ストリームの取得が開始されていなければステップＳ２４０１に戻る。
【０１４５】
（ステップＳ２４０２）コンテンツ記録部２２０４０２は、ステップＳ２４０１で取得したコンテンツからコンテンツ記録制御情報を取得する。なお、コンテンツ記録制御情報は、例えば、コンテンツのヘッダーに記録されている、とする。
（ステップＳ２４０３）コンテンツ記録部２２０４０２は、ステップＳ２４０２で取得したコンテンツ記録制御情報がコピーフリーを示す情報か否かを判断する。コピーフリーを示す情報であればステップＳ２４０４に行き、コピーフリーを示す情報でなければステップＳ２４０７に行く。
【０１４６】
（ステップＳ２４０４）コンテンツ記録部２２０４０２は、コンテンツストリームを記録する。
（ステップＳ２４０５）コンテンツ取得部２２０４０１は、次のコンテンツストリームを取得したか否かを判断する。次のコンテンツストリームを取得すればステップＳ２４０６に行き、次のコンテンツストリームを取得しなければステップＳ２４０９に行く。
【０１４７】
（ステップＳ２４０６）コンテンツ記録部２２０４０２は、コンテンツストリームを記録する。ステップＳ２４０５に戻る。
（ステップＳ２４０７）コンテンツ記録部２２０４０２は、ステップＳ２４０２で取得したコンテンツ記録制御情報がライトワンス（１回コピー許可）を示す情報か否かを判断する。ライトワンスを示す情報であればステップＳ２４０４に行き、ライトワンスを示す情報でなければ処理を終了する（かかる場合、コピー禁止であると判断する）。
【０１４８】
（ステップＳ２４０８）コンテンツ記録部２２０４０２は、コンテンツ記録制御情報をコピー禁止の情報に書き換える。ステップＳ２４０４に行く。
（ステップＳ２４０９）コンテンツ取得部２２０４０１は、先に取得したストリームが最後のストリームであるか否かを判断する。最後のストリームであれば処理を終了し、最後のストリームでなければステップＳ２４０５に戻る。
なお、図２４で示したコンテンツ記録制御情報は、コピーフリー、ライトワンス、コピー禁止の３つの情報であったが、他の意味を示す情報であっても良い。つまり、コンテンツ記録制御情報は、コンテンツの記録制御に利用される情報であれば何でも良い。
【０１４９】
以下、本実施の形態における送受信システムの具体的な動作について説明する。まず、第一の例について説明する。今、コンテンツ受信装置はいわゆるテレビである。また、コンテンツ記録装置はデジタル情報を記録する記録装置であり、コンテンツ受信装置に外付けの記録装置である。そして、コンテンツ送信装置は、図２５に示す構造を有するコンテンツストリームを送信する。このコンテンツストリームは、テレビの番組である。図２５のコンテンツストリームは、「ヘッダー」と「番組データ」を有する。「ヘッダー」は主として「番組データ」の属性値であり、「コンテンツ識別子」「コンテンツ記録制御情報」などを有する。「コンテンツ識別子」は、例えば、番組名である。また、「コンテンツ記録制御情報」は、コピー禁止「０」、ライトワンス「１」、コピーフリー「２」のいずれかの値である、とする。「番組データ」は、番組のデータそのものであり、動画、音声が主であり、テキストも含まれる場合もある。コンテンツのデータ形式は、ＭＰＥＧ等、何でも良い。
【０１５０】
また、記録媒体に記録されている記録制御情報の例を図２６に示す。記録制御情報は、コンテンツ識別子とランクアップ情報の２つの情報を有する。そして、記録媒体は、コンテンツ識別子とランクアップ情報を有する１以上レコードを記録している。「コンテンツ識別子」は、記録を許諾される対象を示す記録許諾対象情報である。「ランクアップ情報」とは、記録できるレベルのアップ度合いを示す情報である。「ランクアップ情報」が「１」である場合、「コンテンツ記録制御情報」は、コピー禁止「０」がライトワンス「１」に、ライトワンス「１」はコピーフリー「２」に書き換えられる。また、「ランクアップ情報」が「２」である場合、「コンテンツ記録制御情報」は、コピー禁止「０」がコピーフリー「２」に書き換えられる。また、通常、記録媒体のユーザは、記録制御情報を購入するのであるが、「ランクアップ情報」が「１」である場合は２００円、「ランクアップ情報」が「２」である場合は５００円等、「ランクアップ情報」が「１」より「２」の方が高額である。
【０１５１】
以上の状況において、ユーザは、図２６のコンテンツ記録制御情報が記録された記録媒体をテレビに挿入する。そして、テレビは、例えば、コピー禁止の番組「ＸＹＺ」を受信した、とする。そして、テレビは、コンテンツ識別子「ＸＹＺ」とコピー禁止を示す情報を取得する。そして、テレビは、記録媒体の記録制御情報を検索して、コンテンツ識別子「ＸＹＺ」を含むレコードが存在するか否かをチェックする。図２６によれば、記録媒体の記録制御情報の中に、コンテンツ識別子「ＸＹＺ」を含むレコードは存在しないので、テレビは、コンテンツ記録制御情報を書き換えない。次に、コンテンツ記録装置は、テレビが受信した番組「ＸＹＺ」を取得する。そして、コンテンツ記録装置は、コンテンツ記録制御情報のコピー禁止を示す情報を取得して、記録しないことを決定する。以上の処理により、当該コンテンツは記録されない。なお、テレビは、当該コンテンツを出力しても良い。
【０１５２】
次に、テレビは、コンテンツ識別子「名探偵イチロー」のコンテンツを受信する。このコンテンツのコンテンツ記録制御情報は、コピー禁止「０」である、とする。次に、テレビは、コンテンツ識別子「名探偵イチロー」とコンテンツ記録制御情報「コピー禁止」を取得する。次に、テレビは、記録媒体からコンテンツ識別子「名探偵イチロー」と対になるランクアップ情報「１」を取得する。そして、テレビは、新しいコンテンツ記録制御情報をコピー禁止「０」からライトワンス「１」に書き換える。次に、コンテンツ記録装置は、コンテンツ記録制御情報がライトワンス「１」に書き換えられたコンテンツ「名探偵イチロー」を取得し、当該コンテンツを記録する。その際、コンテンツ記録装置は、コンテンツ記録制御情報をコピー禁止「０」に書き換える。
【０１５３】
さらに、テレビは、コンテンツ識別子「映画「ＡＢＣ」」のコンテンツを受信する。このコンテンツのコンテンツ記録制御情報は、コピー禁止「０」である、とする。次に、テレビは、記録媒体からコンテンツ識別子「映画「ＡＢＣ」」と対になるランクアップ情報「２」を取得する。そして、テレビは、新しいコンテンツ記録制御情報をコピー禁止「０」からコピーフリー「２」に書き換える。次に、コンテンツ記録装置は、コンテンツ記録制御情報がコピーフリー「２」に書き換えられたコンテンツ「映画「ＡＢＣ」」を取得し、当該コンテンツを記録する。その際、コンテンツ記録装置は、コンテンツ記録制御情報を書き換えない。
【０１５４】
次に、第二の例について説明する。今、コンテンツ受信装置はいわゆるテレビである。そして、コンテンツ記録装置は、テレビに内蔵されているハードディスクとそのドライブである。つまり、コンテンツ受信装置とコンテンツ記録装置が一体化されている。そして、コンテンツ送信装置は、図２５に示す構造を有するコンテンツストリームを送信する。また、記録媒体に記録されている記録制御情報の例を図２７に示す。この記録制御情報は、コンテンツ識別子のみで構成される。コンテンツ受信装置は、記録制御情報が含むコンテンツ識別子で識別されるコンテンツを受信した場合で、かつコンテンツ記録制御情報がコピー禁止「０」である場合に、コピー禁止「０」をライトワンス「１」に書き換える。
【０１５５】
以上の状況において、ユーザは、図２７のコンテンツ記録制御情報が記録された記録媒体をテレビに挿入する。そして、テレビは、「サッカーカップ決勝戦」のコンテンツ識別子を有する番組を受信する、とする。そして、テレビは、「サッカーカップ決勝戦」が記録媒体に記録されているか否かを判断する。「サッカーカップ決勝戦」が記録媒体に記録されているので、テレビは、受信した「サッカーカップ決勝戦」が有するコンテンツ記録制御情報をコピー禁止「０」をライトワンス「１」に書き換える。そして、テレビは、当該コンテンツをハードディスクに記録する。
【０１５６】
以上、本実施の形態によれば、コンテンツ受信装置が記録媒体に記録された記録制御情報に基づいてコンテンツ記録制御情報を書き換えることにより、コピーガードされたコンテンツの著作権を適切に保護し、かつコンテンツの流通、利用を促進できる。つまり、記録制御情報が記録された記録媒体を販売し、当該販売による収益を著作権料として著作権者が徴収する。そして、著作権料を徴収した後に、コンテンツのコピーを許す仕組みをコンテンツ受信装置が実現するのである。
【０１５７】
なお、本実施の形態において、記録媒体に記録された記録制御情報に基づいてコンテンツ記録制御情報を書き換える処理が発明の本質である。つまり、本実施の形態において、記録媒体に記録された記録制御情報に基づいてコンテンツ記録制御情報を書き換える処理をテレビなどのコンテンツ受信装置が行ったが、コンテンツを受信する機能を有する装置と、記録媒体に記録された記録制御情報に基づいてコンテンツ記録制御情報を書き換える処理を行う装置が分離されていても良い。そして、記録媒体に記録された記録制御情報に基づいてコンテンツ記録制御情報を書き換える処理のみを行う装置は以下の構成になる。着脱可能な記録媒体から記録制御情報を読み込む記録制御情報取得部と、記録制御情報取得部が取得した記録制御情報に基づいて、コンテンツのコンテンツ記録制御情報を書き換えるコンテンツ制御情報変更部を具備する情報処理装置である。
【０１５８】
また、コンテンツを記録し終わった後、記録完了を示す情報に記録制御情報を書き換えたり、記録制御情報を削除したりすることにより、支払われた著作料に対応する権利が行使されたことを明確にすることができる。
【０１５９】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。本実施の形態における各種の処理をソフトウェアによって実現した場合のプログラムは、以下のような構成となる。当該プログラムは、コンピュータに、着脱可能な記録媒体から記録制御情報を読み込む記録制御情報取得ステップと、記録制御情報取得ステップで取得した記録制御情報に基づいて、記録対象のコンテンツのコンテンツ記録制御情報を書き換えるコンテンツ制御情報変更ステップを実行させるためのプログラム、である。
【発明の効果】
本発明によれば、コピーガードされたコンテンツの著作権を適切に保護し、かつコンテンツの流通、利用を促進できる。
【図面の簡単な説明】
【図１】実施の形態１における送受信システムのブロック図
【図２】実施の形態１におけるコンテンツ記録装置の動作について説明するフローチャート
【図３】実施の形態２における送受信システムのブロック図
【図４】実施の形態２におけるコンテンツ記録装置がコンテンツを格納する動作について説明するフローチャート
【図５】実施の形態２におけるコンテンツ記録装置コンテンツを記録制御する動作について説明するフローチャート
【図６】実施の形態２におけるコンテンツの記録指示のためのパネルを示す図
【図７】実施の形態２における記録制御情報の構造を示す図
【図８】実施の形態２における記録制御情報の構造を示す図
【図９】実施の形態２における記録制御情報の例を示す図
【図１０】実施の形態３における送受信システムのブロック図
【図１１】実施の形態３におけるコンテンツ記録装置がコンテンツを記録制御する動作について説明するフローチャート
【図１２】実施の形態２における記録制御管理表を示す図
【図１３】実施の形態３における記録制御情報の構造を示す図
【図１４】実施の形態３における記録制御情報の例を示す図
【図１５】実施の形態４における課金処理装置のブロック図
【図１６】実施の形態４における課金処理装置が着脱可能な記録媒体に記録制御情報を記録する動作について説明するフローチャート
【図１７】実施の形態４における課金処理装置が課金料を算出する動作について説明するフローチャート
【図１８】実施の形態４における記録媒体を製造するためのパネルを示す図
【図１９】実施の形態４における記録履歴情報の例を示す図
【図２０】実施の形態４における課金単価表を示す図
【図２１】実施の形態４における課金料の出力例を示す図
【図２２】実施の形態５における送受信システムのブロック図
【図２３】実施の形態５におけるコンテンツ受信装置の動作について説明するフローチャート
【図２４】実施の形態５におけるコンテンツ記録装置の動作について説明するフローチャート
【図２５】実施の形態５におけるコンテンツのデータ構造の例を示す図
【図２６】実施の形態５における記録制御情報の例を示す図
【図２７】実施の形態５における記録制御情報の例を示す図
【符号の説明】
１０１　コンテンツ送信装置
１０２　記録媒体
１０３、３０３、１００３、２２０４　コンテンツ記録装置
１３０１　記録制御情報保持部
１３０２　記録制御情報取得部
１３０３　記録制御情報記録部
１３０４　記録履歴情報記録部
１３０５　記録履歴情報格納部
１３０６　入力受付部
１３０７　記録履歴情報取得部
１３０８　課金料算出部
１３０９　課金料出力部
２２０３　コンテンツ受信装置
１０１０１　コンテンツ保持部
１０１０２　コンテンツ送信部
１０３０１　コンテンツ受信部
１０３０２、２２０４０１　コンテンツ取得部
１０３０３　記録制御情報取得部
１０３０４、１００３０３　コンテンツ記録制御部
１０３０５、２２０４０２　コンテンツ記録部
３０３０１、１００３０２　コンテンツ格納部
３０３０２　記録指示受付部
１００３０１　コンテンツ記録制御情報取得部
２２０３０１　コンテンツ記録制御情報変更部
【図１】
2004070557.tif 000003
【図２】
2004070557.tif 000004
【図３】
2004070557.tif 000005
【図４】
2004070557.tif 000006
【図５】
2004070557.tif 000007
【図６】
2004070557.tif 000008
【図７】
2004070557.tif 000009
【図８】
2004070557.tif 000010
【図９】
2004070557.tif 000011
【図１０】
2004070557.tif 000012
【図１１】
2004070557.tif 000013
【図１２】
2004070557.tif 000014
【図１３】
2004070557.tif 000015
【図１４】
2004070557.tif 000016
【図１５】
2004070557.tif 000017
【図１６】
2004070557.tif 000018
【図１７】
2004070557.tif 000019
【図１８】
2004070557.tif 000020
【図１９】
2004070557.tif 000021
【図２０】
2004070557.tif 000022
【図２１】
2004070557.tif 000023
【図２２】
2004070557.tif 000024
【図２３】
2004070557.tif 000025
【図２４】
2004070557.tif 000026
【図２５】
2004070557.tif 000027
【図２６】
2004070557.tif 000028
【図２７】
2004070557.tif 000029